(57)【要約】      （修正有）【課題】周波数チャネルの帯域幅が複数種類規定されている場合に、回路規模の増加を抑制しながら、通信を失敗する確率の増加を抑制する技術を提供する。【解決手段】測定部５２は、第１の帯域幅の周波数チャネルにおける受信信号の強度と、第１の帯域幅よりも狭い第２の帯域幅の周波数チャネルにおける受信信号の強度とを切りかえながら測定する。ここで、測定部５２は、第１の帯域幅の周波数チャネルと、第２の帯域幅の周波数チャネルとに対して、共通して、第１の帯域幅で受信信号の強度を測定する。制御部４６は、測定部５２における切替を制御する。【選択図】図４
2017167785.tif 000002
【特許請求の範囲】
【請求項１】
第１の帯域幅の周波数チャネルにおける受信信号の強度と、前記第１の帯域幅よりも狭い第２の帯域幅の周波数チャネルにおける受信信号の強度とを切りかえながら測定する測定部と、
前記測定部における切替を制御する制御部とを備え、
前記測定部は、前記第１の帯域幅の周波数チャネルと、前記第２の帯域幅の周波数チャネルとに対して、共通して、前記第１の帯域幅で受信信号の強度を測定することを特徴とする受信装置。
【請求項２】
前記測定部は、前記第２の帯域幅の周波数チャネルにおける受信信号の強度の測定結果がしきい値以上である場合、前記第２の帯域幅の周波数チャネルに隣接した別の周波数チャネルにおける受信信号の強度を測定することを特徴する請求項１に記載の受信装置。
【請求項３】
前記測定部は、前記別の周波数チャネルとして、前記第２の帯域幅の周波数チャネルよりも低い周波数側の周波数チャネルを使用するとともに、前記第２の帯域幅の周波数チャネルよりも高い周波数側の周波数チャネルを使用することを特徴とする請求項２に記載の受信装置。
【請求項４】
前記第２の帯域幅の周波数チャネルにおける受信信号の強度の測定結果よりも、前記別の周波数チャネルにおける受信信号の強度の測定結果の方が大きい場合に、前記別の周波数チャネルにおいて、受信信号に含まれるべきプリアンブルの検出処理を実行する検出部をさらに備えることを特徴とする請求項２または３に記載の受信装置。
【請求項５】
前記測定部において、前記第２の帯域幅の周波数チャネルにおける受信信号の強度の測定結果がしきい値以上である場合、前記第２の帯域幅の周波数チャネルに隣接した別の周波数チャネルにおいて、受信信号に含まれるべきプリアンブルの検出処理を実行する検出部をさらに備えることを特徴とする請求項１に記載の受信装置。
【請求項６】
前記検出部がプリアンブルを検出し、かつ前記別の周波数チャネルにおける受信信号を受信可能である場合、前記別の周波数チャネルにおける受信信号に対してデータ処理を実行するデータ処理部をさらに備えることを特徴とする請求項４または５に記載の受信装置。
【請求項７】
前記測定部は、前記第２の帯域幅の周波数チャネルにおける受信信号の強度の測定結果よりも、前記別の周波数チャネルにおける受信信号の強度の測定結果の方が小さい場合に、前記第２の帯域幅の周波数チャネルに対して、前記第２の帯域幅で受信信号の強度を測定することを特徴とする請求項２または３に記載の受信装置。
【請求項８】
第１の帯域幅の周波数チャネルにおける受信信号の強度と、前記第１の帯域幅よりも狭い第２の帯域幅の周波数チャネルにおける受信信号の強度とを切りかえながら測定するステップと、
前記測定するステップにおける切替を制御するステップとを備え、
前記測定するステップは、前記第１の帯域幅の周波数チャネルと、前記第２の帯域幅の周波数チャネルとに対して、共通して、前記第１の帯域幅で受信信号の強度を測定することをコンピュータに実行させるためのプログラム。
【発明の詳細な説明】
【技術分野】
【０００１】
本発明は、通信技術に関し、特に複数の周波数チャネルを使用する受信装置およびプログラムに関する。
【背景技術】
【０００２】
電力管理システムでは、住宅に設置された電力メータが無線通信等を介して検針結果を電力会社に送信するので、遠隔検針が可能になる。電力メータは、電力会社との無線通信だけではなく、住宅に設置されている電気機器とも無線通信を実行する。これにより、電力メータと通信可能な電気機器は、電力メータにて計測された電力情報を電力メータから容易に取得でき、正確な電力管理が可能になる（例えば、特許文献１参照）。
【先行技術文献】
【特許文献】
【０００３】
【特許文献１】特開２０１３−１８７８４８号公報
【発明の概要】
【発明が解決しようとする課題】
【０００４】
住宅に設置される電子機器の数が多くなると、トラヒック量の増加による信号の衝突が発生しやすくなる。このような衝突による伝送効率の悪化を抑制するために、複数の周波数チャネルが使用される。複数の周波数チャネルの信号のそれぞれを受信するために、無線装置は、各周波数チャネルに対応した無線部を備える必要があるが、複数の無線部の実装によって、回路規模が増加する。一方、１つの無線部のみを備える場合、各周波数チャネルを切りかえながら、ＲＳＳＩ（Ｒｅｃｅｉｖｅｄ  Ｓｉｇｎａｌ  Ｓｔｒｅｎｇｔｈ  Ｉｎｄｉｃａｔｉｏｎ）の測定が実行される。ここで、周波数チャネルの帯域幅が複数種類規定されている場合、ＲＳＳＩの測定を実行する際に、フィルタ等の帯域幅を切りかえなくてはならない。帯域幅の切替に時間を要するので、その間に到来した信号を受信できないおそれがある。
【０００５】
本発明はこうした状況に鑑みなされたものであり、その目的は、周波数チャネルの帯域幅が複数種類規定されている場合に、回路規模の増加を抑制しながら、通信を失敗する確率の増加を抑制する技術を提供することにある。
【課題を解決するための手段】
【０００６】
上記課題を解決するために、本発明のある態様の受信装置は、第１の帯域幅の周波数チャネルにおける受信信号の強度と、第１の帯域幅よりも狭い第２の帯域幅の周波数チャネルにおける受信信号の強度とを切りかえながら測定する測定部と、測定部における切替を制御する制御部とを備える。測定部は、第１の帯域幅の周波数チャネルと、第２の帯域幅の周波数チャネルとに対して、共通して、第１の帯域幅で受信信号の強度を測定する。
【０００７】
なお、以上の構成要素の任意の組合せ、本発明の表現を方法、装置、システム、記録媒体、コンピュータプログラムなどの間で変換したものもまた、本発明の態様として有効である。
【発明の効果】
【０００８】
本発明によれば、周波数チャネルの帯域幅が複数種類規定されている場合に、回路規模の増加を抑制しながら、通信を失敗する確率の増加を抑制できる。
【図面の簡単な説明】
【０００９】
【図１】本発明の実施例１に係る通信システムの構成を示す図である。
【図２】図２（ａ）−（ｂ）は、図１における第１通信、第２通信、上位通信の周波数チャネル配置を示す図である。
【図３】図３（ａ）−（ｂ）は、図１における第１通信、第２通信、上位通信のパケット信号のフォーマットを示す図である。
【図４】図１の無線装置の構成を示す図である。
【図５】図４の無線装置において使用される周波数チャネルの配置を示す図である。
【図６】図６（ａ）−（ｃ）は、図４の無線装置による動作概要を示す図である。
【図７】図４の測定部によるＲＳＳＩの測定処理の概要を示す図である。
【図８】図８（ａ）−（ｃ）は、図４の無線装置による別の動作概要を示す図である。
【図９】図４の無線装置による受信手順を示すフローチャートである。
【図１０】図１０（ａ）−（ｃ）は、本発明の実施例２に係る無線装置による動作概要を示す図である。
【図１１】本発明の実施例２に係る無線装置による受信手順を示すフローチャートである。
【発明を実施するための形態】
【００１０】
（実施例１）
本発明を具体的に説明する前に、概要を述べる。本発明の実施例１は、複数の周波数チャネルを使用して通信する無線装置に関する。無線装置の回路規模の増加を抑制するためには、無線装置が備える無線部の数は、「１」にされるべきである。一方、無線部が１つである場合、一方の周波数チャネルにおける信号の受信を検出している間に、他方の周波数チャネルの信号が受信されても、これは検出されない。さらに、周波数チャネルの帯域幅が複数種類規定されている場合、信号を検出する際のフィルタ等の帯域幅が切りかえられる。しかしながら、フィルタ等の帯域幅は瞬時に切りかえられずにある程度の時間を要するので、切りかえている間に到来した信号に対しては検出処理が実行されない。このような状況下でありながらも、受信検出の失敗確率の増加を抑制することが望まれる。
【００１１】
ここで、信号の受信を検出するための処理には、ＲＳＳＩの測定と、プリアンブルの検出が含まれる。ＲＳＳＩの測定では、受信信号強度が単に測定されているだけなので、受信した信号が所望の信号であるかを識別する精度は低いが、処理に要する期間は比較的短い。一方、プリアンブルの検出では、パケット信号の先頭部分に配置されているプリアンブルが検出されるので、前述の識別精度は高いが、処理に要する期間は、ＲＳＳＩの測定に比較して長い。このような特徴を考慮して、本実施例に係る無線装置は、複数の周波数チャネルを切りかえながら、ＲＳＳＩの測定を順次実行する。その際、周波数チャネルの帯域幅が複数種類規定されていても、最も広い帯域幅にフィルタ等の帯域幅を固定する。
【００１２】
図１は、通信システム１００の構成を示す。通信システム１００は、無線装置１０、第１種端末装置１２、第２種端末装置１４、スマートメータ１６、収集制御局１８を含む。無線装置１０、第１種端末装置１２、第２種端末装置１４、スマートメータ１６は、住宅２８に設置される。図１においては、説明を明瞭にするために、１つの住宅２８だけが示されているが、実際には、複数の住宅２８が存在し、各住宅２８にスマートメータ１６、無線装置１０、第１種端末装置１２、第２種端末装置１４が設置される。
【００１３】
収集制御局１８、スマートメータ１６、無線装置１０、第１種端末装置１２、第２種端末装置１４は、いずれも無線通信機能を備える。収集制御局１８とスマートメータ１６との間の無線通信はマルチホップ通信２６であり、スマートメータ１６と無線装置１０との間の無線通信は上位通信２４である。また、無線装置１０と第１種端末装置１２との間の無線通信は第１通信２０であり、無線装置１０と第２種端末装置１４との間の無線通信は第２通信２２である。マルチホップ通信２６は、各住宅２８に設置されたスマートメータ１６による転送によって実現されており、Ａルートに対応する。上位通信２４は、ＷｉＳＵＮ（Ｗｉｒｅｌｅｓｓ  Ｓｍａｒｔ  Ｕｔｉｌｉｔｙ  Ｎｅｔｗｏｒｋｓ）のＢルートに対応し、第１通信２０は、ＷｉＳＵＮのＨＡＮ（Ｈｏｍｅ  Ａｒｅａ  Ｎｅｔｗｏｒｋ）に対応する。この分野の無線通信方式はＩＥＥＥ８０２．１５．４で規定されているが、標準化された方式（ＷｉＳＵＮアライアンス等）や独自運用している方式などが混在している。
【００１４】
スマートメータ１６は、前述の無線通信機能に加えて、住宅２８で使用された電力量を計測する電力メータとしての機能を有する。スマートメータ１６は、電力会社（電気事業者）からの商用電力が供給される配電線（図示せず）に接続されており、住宅２８で使用された電力量を計測する。この機能については公知の技術が使用されればよいので、ここでは説明を省略する。スマートメータ１６は、電力量の計測結果が含まれた検針データをマルチホップ通信２６にて収集制御局１８に送信する。収集制御局１８は、通信システム１００の親機に相当し、スマートメータ１６からの検針データを受信する。これにより、電力会社による遠隔検針が可能になる。
【００１５】
住宅２８に設置された電子機器（図示せず）には、第１種端末装置１２あるいは第２種端末装置１４が接続される。電子機器は、例えば、エア・コンディショナー、ＯＡ機器、テレビジョン受像装置である。第１種端末装置１２、第２種端末装置１４は、異なった無線通信方式である第１通信２０、第２通信２２にそれぞれ対応し、無線装置１０と通信する。無線装置１０は、上位通信２４によってスマートメータ１６とも通信するので、スマートメータ１６からの計測結果を受信する。計測結果によって、電子機器における正確な電力管理が可能になる。以下では、無線装置１０の動作に着目するので、第１通信２０、第２通信２２、上位通信２４を説明の対象にする。
【００１６】
図２（ａ）−（ｂ）は、第１通信２０、第２通信２２、上位通信２４の周波数チャネル配置を示す。図２（ａ）は、第１通信２０および上位通信２４における周波数チャネルの配置を示す。図示のごとく、４００ｋＨｚ幅の周波数チャネルがＮ個周波数多重されている。ここでは、周波数の低い方から順に、ＣＨ１、ＣＨ２、・・・、ＣＨＮと示される。本実施例において、第１通信２０のために使用される周波数チャネルと、上位通信２４のために使用される周波数チャネルとは異なっている。以下では、第１通信２０のために使用される周波数チャネルが「ＣＨｘ１」と示され、上位通信２４のために使用される周波数チャネルが「ＣＨｙ」と示される。
【００１７】
図２（ｂ）は、第２通信２２における周波数チャネルの配置を示す。図示のごとく、１つの周波数チャネルは、２００ｋＨｚ幅であるので、第１通信２０および上位通信２４における周波数チャネルの半分の帯域幅であり、ＣＨ１の帯域内に配置される周波数チャネルがＣＨ１−１、ＣＨ１−２と示される。ここでは、第１通信２０、上位通信２４に使用される４００ｋＨｚ幅の帯域幅を「第１の帯域幅」といい、第２通信２２に使用される２００ｋＨｚ幅の帯域幅を「第２の帯域幅」という。第２の帯域幅は、第１の帯域幅よりも狭いといえる。
【００１８】
本実施例において、第２通信２２のために使用される周波数チャネルは、第１通信２０のために使用される周波数チャネルに含まれてもよく、含まれていなくてもよい。含まれている場合、第１通信２０のために使用される周波数チャネルが「ＣＨ１」であれば、第２通信２２のために使用される周波数チャネルは、「ＣＨ１−１」あるいは「ＣＨ１−２」である。一方、含まれていない場合、第１通信２０のために使用される周波数チャネルが「ＣＨ１」であれば、第２通信２２のために使用される周波数チャネルは、「ＣＨ２−１」あるいは「ＣＨ２−２」等である。以下では、第２通信２２のために使用される周波数チャネルが「ＣＨｘ２」と示される。
【００１９】
無線装置１０は、第１種端末装置１２、第２種端末装置１４、スマートメータ１６との間で、ＣＳＭＡ／ＣＡ（Ｃａｒｒｉｅｒ  Ｓｅｎｓｅ  Ｍｕｌｔｉｐｌｅ  Ａｃｃｅｓｓ／Ｃｏｌｌｉｓｉｏｎ  Ａｖｏｉｄａｎｃｅ）による通信を実行する。具体的に説明すると、無線装置１０とスマートメータ１６は、周波数チャネル「ＣＨｙ」を使用してＣＳＭＡ／ＣＡによる通信を実行する。無線装置１０と第１種端末装置１２は、周波数チャネル「ＣＨｘ１」を使用してＣＳＭＡ／ＣＡによる通信を実行し、無線装置１０と第２種端末装置１４は、周波数チャネル「ＣＨｘ２」を使用してＣＳＭＡ／ＣＡによる通信を実行する。無線装置１０は、例えば、ＨＥＭＳ（Ｈｏｍｅ  Ｅｎｅｒｇｙ  Ｍａｎａｇｅｍｅｎｔ  Ｓｙｓｔｅｍ）コントローラのような電子機器を制御する制御装置に接続または搭載されるものである。
【００２０】
図３（ａ）−（ｂ）は、第１通信２０、第２通信２２、上位通信２４のパケット信号のフォーマットを示す。図３（ａ）は、第１通信２０および上位通信２４のパケット信号のフォーマットを示す。パケット信号は、プリアンブル、ＵＷ（Ｕｎｉｑｕｅ  Ｗｏｒｄ）、データを先頭から順に配置する。プリアンブルは、１５ｂｙｔｅを有しており、第１通信２０、上位通信２４の伝送レートが共通して１００ｋｂｐｓであるので、１．２ｍｓｅｃの期間を有する。プリアンブルのパターンは既知である。ＵＷ、データについては説明を省略する。
【００２１】
図３（ｂ）は、第２通信２２のパケット信号のフォーマットを示す。パケット信号の構成は、図３（ａ）と同様であり、かつプリアンプルも１５ｂｙｔｅを有する。しかしながら、第２通信２２の伝送レートは、第１通信２０、上位通信２４の伝送レートより低速の４０ｋｂｐｓであるので、プリアンブルは、３．０ｍｓｅｃの期間を有する。つまり、第２通信２２のパケット信号に含まれたプリアンブルの期間は、第１通信２０、上位通信２４のパケット信号に含まれたプリアンブルの期間よりも長い。
【００２２】
図４は、無線装置１０の構成を示す。無線装置１０は、通信部４０、探索部４２、データ処理部４４、制御部４６を含む。通信部４０は、受信部４８、送信部５０を含み、探索部４２は、測定部５２、検出部５４を含む。通信部４０は、前述の無線部に相当する。
【００２３】
受信部４８は、第１通信２０、第２通信２２、上位通信２４のそれぞれに対応した処理を実行することによって、無線通信におけるパケット信号を受信する。また、受信部４８は、パケット信号を受信するまでの間であって、かつ後述の送信部５０がパケット信号を送信していない間（以下、「探索期間」という）においても、制御部４６からの指示に応じて周波数チャネルを設定しながら、パケット信号の受信を試みる。受信部４８は、増幅機能、周波数変換機能を有するとともに、帯域幅を可変に設定可能なフィルタを備える。フィルタの帯域幅の変更は、フィルタのタップ係数の変更によって実現されるが、変更のための設定は、制御部４６によってなされる。受信部４８は、これらの構成によって、ベースバンド信号を生成し、ベースバンド信号を探索部４２、データ処理部４４に出力する。
【００２４】
測定部５２は、受信部４８からのベースバンド信号を入力し、ベースバンド信号のＲＳＳＩを測定する。ここで、探索期間において、制御部４６は、受信部４８に対して、周波数チャネル「ＣＨｘ１」、「ＣＨｘ２」、「ＣＨｙ」とを一定間隔で切りかえる指示を出力する。なお、ＲＳＳＩの測定には、例えば、１００μｓｅｃ要するので、制御部４６は、１００μｓｅｃ以上の間隔で周波数チャネルを切りかえさせる。これにより、測定部５２は、周波数チャネル「ＣＨｘ１」におけるＲＳＳＩの測定と、周波数チャネル「ＣＨｘ２」におけるＲＳＳＩの測定と、周波数チャネル「ＣＨｙ」におけるＲＳＳＩの測定とを切りかえながら実行する。
【００２５】
ここで、周波数チャネル「ＣＨｘ１」、「ＣＨｙ」におけるＲＳＳＩの測定は、第１の帯域幅の周波数チャネルにおけるＲＳＳＩの測定に相当する。また、周波数チャネル「ＣＨｘ２」におけるＲＳＳＩの測定は、第２の帯域幅の周波数チャネルにおけるＲＳＳＩの測定に相当する。このような状況下において、制御部４６は、周波数チャネルに関係なく、受信部４８におけるフィルタの帯域幅を第１の帯域幅のまま固定させる。これにより、測定部５２は、第１の帯域幅の周波数チャネルと、第２の帯域幅の周波数チャネルとに対して、共通して、第１の帯域幅でＲＳＳＩを測定する。これは、最も広い帯域幅で測定がなされることに相当する。
【００２６】
図５は、無線装置１０において使用される周波数チャネルの配置を示す。図５は、図２（ａ）−（ｂ）と同様に示されるが、図５では、「ＣＨ１」に「ＣＨｘ１」が設定され、「ＣＨ３−１」に「ＣＨｘ２」が設定され、「ＣＨＮ」に「ＣＨｙ」が設定されているとする。ここで、「ＣＨｘ１」に対してＲＳＳＩを測定する際のフィルタの帯域は、第１通信用フィルタ帯域６０に設定される。また、「ＣＨｘ２」に対してＲＳＳＩを測定する際のフィルタの帯域は、第２通信用フィルタ帯域６２に設定され、「ＣＨｙ」に対してＲＳＳＩを測定する際のフィルタの帯域は、上位通信用フィルタ帯域６４に設定される。第１通信用フィルタ帯域６０、第２通信用フィルタ帯域６２、上位通信用フィルタ帯域６４は、同一の帯域幅を有する。図４に戻る。
【００２７】
測定部５２は、例えば、パケット信号の最低受信感度をもとに設定されたしきい値を保持しており、ＲＳＳＩをしきい値と比較する。測定部５２は、ＲＳＳＩがしきい値以上でなければ、ＲＳＳＩを測定した周波数チャネルに信号が存在しないこと（以下、「信号不存在」という）を制御部４６に通知する。制御部４６は、信号不存在の通知を受けつけると、前述のごとく、受信部４８に周波数チャネルを切りかえさせる。その結果、測定部５２においてもＲＳＳＩを測定すべき周波数チャネルが切りかえられる。このように、制御部４６は、測定部５２における切替を制御する。
【００２８】
図６（ａ）−（ｃ）は、無線装置１０による動作概要を示す。図６（ａ）は、ＲＳＳＩがしきい値以上にならない場合の動作を示す。図示のごとく、周波数チャネル「ＣＨｘ２」、「ＣＨｘ１」、「ＣＨｙ」の切替が繰り返されながら、ＲＳＳＩ測定がなされる。図６（ｂ）−（ｃ）については後述し、図４に戻る。
【００２９】
次に、測定部５２において測定したＲＳＳＩがしきい値以上である場合の処理を説明するが、ここでは、（１）周波数チャネル「ＣＨｘ１」、「ＣＨｙ」での処理を説明してから、（２）周波数チャネル「ＣＨｘ２」での処理を説明する。
【００３０】
（１）周波数チャネル「ＣＨｘ１」、「ＣＨｙ」での処理
測定部５２は、周波数チャネル「ＣＨｘ１」、「ＣＨｙ」において、つまり第１の帯域幅の周波数チャネルにおいて、ＲＳＳＩがしきい値以上であれば、周波数チャネルに信号が存在すること（以下、「信号存在」という）を制御部４６、検出部５４に通知する。制御部４６は、信号存在の通知を測定部５２から受けつけると、受信部４８での周波数チャネルを固定する。
【００３１】
検出部５４は、信号存在の通知を測定部５２から受けつけると、周波数チャネルでのベースバンド信号を受信部４８から入力する。検出部５４は、ベースバンド信号に対して、パケット信号に含まれるべきプリアンブルの検出処理を実行する。プリアンブルの検出による相関値がしきい値以上である場合、検出部５４は、プリアンブルを検出したと決定する。一方、プリアンブルの検出による相関値がしきい値よりも小さい場合、検出部５４は、プリアンブルを検出しなかったと決定する。なお、相関値に対するしきい値は、測定部５２でのしきい値とは別に設定される。検出部５４は、プリアンブルの検出結果を制御部４６に通知する。
【００３２】
制御部４６は、検出部５４から受けつけた結果がプリアンブルを検出したことを示していた場合、受信部４８に対する周波数チャネルの固定を継続するとともに、データ処理部４４に対して、受信部４８からのパケット信号の受信処理を実行させる。パケット信号の受信処理は、復調処理、復号処理等を含む。パケット信号の期間が終了すると、制御部４６は、受信部４８に対して周波数チャネルを切りかえさせる。この処理は、検出部５４から受けつけた結果がプリアンブルを検出しなかったことを示していた場合も同様である。
【００３３】
（２）周波数チャネル「ＣＨｘ２」での処理
測定部５２は、周波数チャネル「ＣＨｘ２」において、つまり第２の帯域幅の周波数チャネルにおいて、ＲＳＳＩがしきい値以上であれば、信号存在を制御部４６に通知する。ここでは、このような状況を図７を使用しながら説明する。図７は、測定部５２によるＲＳＳＩの測定処理の概要を示す。横軸は、周波数を示しており、周波数チャネル「ＣＨ２」、「ＣＨ３−１」、「ＣＨ３−２」、「ＣＨ４」は、図５と同様に示される。また、前述のごとく、周波数チャネル「ＣＨ３−１」に「ＣＨｘ２」が設定されているので、周波数チャネル「ＣＨｘ２」での信号は、第２通信用信号帯域７０に配置されるべきである。一方、第２通信用フィルタ帯域６２は、周波数チャネル「ＣＨ３−１」だけではなく、周波数チャネル「ＣＨ２」、「ＣＨ３−２」にも一部はみ出すように設定される。そのため、第２通信用信号帯域７０に本来の信号が到来していなくても、周波数チャネル「ＣＨ２」、「ＣＨ３−２」における干渉信号の大きさが大きければ、第２通信用フィルタ帯域６２における信号のＲＳＳＩが大きくなる。
【００３４】
本来の信号のＲＳＳＩが大きい場合であるか、干渉信号のＲＳＳＩが大きい場合であるかを区別をするために、制御部４６は、信号存在の通知を測定部５２から受けつけると、受信部４８に対して、隣接した別の周波数チャネルを受信させる。ここでは、例えば、別の周波数チャネルとして、「ＣＨｘ２」よりも低い周波数側の周波数チャネルを設定する。周波数チャネル「ＣＨｘ２」が「ＣＨ３−１」である場合、受信部４８は、周波数チャネル「ＣＨ２」における信号を受信する。その際のフィルタは、図７の低側用帯域６６に設定される。これにより、測定部５２は、低側用帯域６６における信号のＲＳＳＩを測定する。また、測定部５２は、第２通信用フィルタ帯域６２における信号のＲＳＳＩと、低側用帯域６６における信号のＲＳＳＩを測定する。測定部５２は、後者が前者以上である場合、低側用帯域６６において干渉信号を受信していると判定し、後者が前者よりも小さい場合、低側用帯域６６において干渉信号を受信していないと判定する。測定部５２は、判定結果を制御部４６に出力する。
【００３５】
制御部４６は、干渉信号を受信していると通知された場合、周波数チャネル「ＣＨｘ２」に信号は存在しないので、受信部４８に対して周波数チャネルを切りかえさせる。一方、制御部４６は、干渉信号が存在しないと通知された場合、受信部４８に対して、周波数チャネル「ＣＨｘ２」に隣接したさらに別の周波数チャネルを受信させる。ここでは、例えば、さらに別の周波数チャネルとして、「ＣＨｘ２」よりも高い周波数側の周波数チャネルを設定する。周波数チャネル「ＣＨｘ２」が「ＣＨ３−１」である場合、受信部４８は、周波数チャネル「ＣＨ４」における信号を受信する。その際のフィルタは、図７の高側用帯域６８に設定される。これにより、測定部５２は、高側用帯域６８における信号のＲＳＳＩを測定する。また、測定部５２は、第２通信用フィルタ帯域６２における信号のＲＳＳＩと、高側用帯域６８における信号のＲＳＳＩを測定する。測定部５２は、後者が前者以上である場合、高側用帯域６８において干渉信号を受信していると判定し、後者が前者よりも小さい場合、高側用帯域６８において干渉信号を受信していないと判定する。測定部５２は、判定結果を制御部４６に出力する。
【００３６】
制御部４６は、干渉信号を受信していると通知された場合、周波数チャネル「ＣＨｘ２」に信号は存在しないので、受信部４８に対して周波数チャネルを切りかえさせる。このように、測定部５２は、第２の帯域幅の周波数チャネルにおけるＲＳＳＩがしきい値以上である場合、第２の帯域幅の周波数チャネルに隣接した別の周波数チャネルにおけるＲＳＳＩも測定する。また、測定部５２は、別の周波数チャネルとして、第２の帯域幅の周波数チャネルよりも低い周波数側の周波数チャネルを使用するとともに、第２の帯域幅の周波数チャネルよりも高い周波数側の周波数チャネルを使用する。なお、第２の帯域幅の周波数チャネルよりも高い周波数側の周波数チャネルに対する処理は省略されてもよい。
【００３７】
図６（ｂ）−（ｃ）は、周波数チャネル「ＣＨｘ２」におけるＲＳＳＩがしきい値以上である場合の動作を示す。図６（ｂ）において、「ＲＳＳＩ測定（１）」では、周波数チャネル「ＣＨｘ２」におけるＲＳＳＩが測定される。これがしきい値以上であったため、「ＲＳＳＩ測定（２）」では、周波数チャネル「ＣＨｘ２」の低い周波数側の周波数チャネルにおけるＲＳＳＩが測定される。低い周波数側の周波数チャネルにおけるＲＳＳＩが、周波数チャネル「ＣＨｘ２」におけるＲＳＳＩ以上であれば、干渉信号を受信しているので、周波数チャネル「ＣＨｘ１」におけるＲＳＳＩが測定される。これに続く処理は、図６（ａ）と同一である。
【００３８】
図６（ｃ）において、「ＲＳＳＩ測定（１）」では、周波数チャネル「ＣＨｘ２」におけるＲＳＳＩが測定される。これがしきい値以上であったため、「ＲＳＳＩ測定（２）」では、周波数チャネル「ＣＨｘ２」の低い周波数側の周波数チャネルにおけるＲＳＳＩが測定される。低い周波数側の周波数チャネルにおけるＲＳＳＩが、周波数チャネル「ＣＨｘ２」におけるＲＳＳＩよりも小さかったため、「ＲＳＳＩ測定（３）」では、周波数チャネル「ＣＨｘ２」の高い周波数側の周波数チャネルにおけるＲＳＳＩが測定される。高い周波数側の周波数チャネルにおけるＲＳＳＩが、周波数チャネル「ＣＨｘ２」におけるＲＳＳＩ以上であれば、干渉信号を受信しているので、周波数チャネル「ＣＨｘ１」におけるＲＳＳＩが測定される。これに続く処理は、図６（ａ）と同一である。図４に戻る。
【００３９】
周波数チャネル「ＣＨｘ２」に隣接した別の周波数チャネルにおいて干渉信号を受信していると測定部５２が判定した場合、干渉信号の検出精度を向上させるために、次の処理が実行されてもよい。測定部５２は、干渉信号を受信したとの判定結果を検出部５４に出力する。検出部５４は、干渉信号を受信したとの判定結果を入力した場合に、別の周波数チャネルのベースバンド信号において、パケット信号に含まれるべきプリアンブルの検出処理を実行する。プリアンブルの検出処理は、前述の通りである。プリアンブルを検出した場合、当該別の周波数チャネルにおいて信号を受信していることが確実に確認される。
【００４０】
図８（ａ）−（ｃ）は、無線装置１０による別の動作概要を示す。特に、図８（ａ）は、プリアンブルの検出処理を実行する場合の動作を示す。「ＲＳＳＩ測定（１）」では、周波数チャネル「ＣＨｘ２」におけるＲＳＳＩが測定される。これがしきい値以上であったため、「ＲＳＳＩ測定（２）」では、周波数チャネル「ＣＨｘ２」の低い周波数側の周波数チャネルにおけるＲＳＳＩが測定される。低い周波数側の周波数チャネルにおけるＲＳＳＩが、周波数チャネル「ＣＨｘ２」におけるＲＳＳＩ以上であれば、「プリアンブル検出」処理が実行される。プリアンブルの検出により、干渉信号の受信が確認されたので、周波数チャネル「ＣＨｘ１」におけるＲＳＳＩが測定される。これに続く処理は、図６（ａ）と同一である。図８（ｂ）−（ｃ）は後述し、図４に戻る。
【００４１】
検出部５４においてプリアンブルが検出された場合、さらに次の処理が実行が実行されてもよい。データ処理部４４は、当該別の周波数チャネルにおけるパケット信号を受信可能である場合、別の周波数チャネルにおけるパケット信号に対してデータ処理を実行する。これは、周波数チャネル「ＣＨｘ２」における信号を探索したが、これに隣接した別の周波数チャネルにおいて信号を受信したために、それに対してデータ処理を実行することに相当する。
【００４２】
図８（ｂ）は、データ処理を実行する場合の動作を示す。「ＲＳＳＩ測定（１）」では、周波数チャネル「ＣＨｘ２」におけるＲＳＳＩが測定される。これがしきい値以上であったため、「ＲＳＳＩ測定（２）」では、周波数チャネル「ＣＨｘ２」の低い周波数側の周波数チャネルにおけるＲＳＳＩが測定される。低い周波数側の周波数チャネルにおけるＲＳＳＩが、周波数チャネル「ＣＨｘ２」におけるＲＳＳＩ以上であれば、「プリアンブル検出」処理が実行される。プリアンブルが検出されれば、「データ処理」が実行される。その後、周波数チャネル「ＣＨｘ１」におけるＲＳＳＩが測定され、これに続く処理は、図６（ａ）と同一である。図８（ｃ）は後述し、図４に戻る。
【００４３】
これまで説明した処理を実行した結果、別の周波数チャネルにおいて信号を受信していないと判定された場合、次の処理が実行される。これは、第２の帯域幅の周波数チャネルにおけるＲＳＳＩよりも、別の周波数チャネルにおけるＲＳＳＩの方が小さい場合の処理に相当する。制御部４６は、周波数チャネル「ＣＨｘ２」に対して、受信部４８におけるフィルタの帯域幅を第１の帯域幅から第２の帯域幅に変更させる。つまり、フィルタの帯域幅を狭くさせる。これは、図７において第２通信用フィルタ帯域６２と示された帯域幅を、第２通信用信号帯域７０と示された帯域幅に変更することに相当する。
【００４４】
測定部５２は、受信部４８からのベースバンド信号を入力し、ベースバンド信号のＲＳＳＩを測定する。これは、周波数チャネル「ＣＨｘ２」に対して、第２の帯域幅でＲＳＳＩを測定することに相当する。測定部５２は、第２の帯域幅で測定したＲＳＳＩと、第１の帯域幅で既に測定していたＲＳＳＩとを比較する。前者が後者以上であれば、測定部５２は、信号存在を制御部４６、検出部５４に通知する。これに続く処理は、（１）と同様であるので、ここでは説明を省略する。一方、前者が後者よりも小さければ、測定部５２は、信号不存在を制御部４６に通知する。
【００４５】
図８（ｃ）は、周波数チャネル「ＣＨｘ２」に対して、フィルタの帯域幅を変更する場合の動作を示す。「ＲＳＳＩ測定（１）」では、周波数チャネル「ＣＨｘ２」におけるＲＳＳＩが測定される。これがしきい値以上であったため、「ＲＳＳＩ測定（２）」では、周波数チャネル「ＣＨｘ２」の低い周波数側の周波数チャネルにおけるＲＳＳＩが測定される。低い周波数側の周波数チャネルにおけるＲＳＳＩが、周波数チャネル「ＣＨｘ２」におけるＲＳＳＩよりも小さかったため、「ＲＳＳＩ測定（３）」では、周波数チャネル「ＣＨｘ２」の高い周波数側の周波数チャネルにおけるＲＳＳＩが測定される。高い周波数側の周波数チャネルにおけるＲＳＳＩが、周波数チャネル「ＣＨｘ２」におけるＲＳＳＩより小さければ、「変更」では、第１の帯域幅から第２の帯域幅への変更がなされる。さらに、「ＲＳＳＩ測定（４）」では、周波数チャネル「ＣＨｘ２」におけるＲＳＳＩが再び測定される。これが、既に測定した第１の帯域幅でのＲＳＳＩであって、かつ周波数チャネル「ＣＨｘ２」におけるＲＳＳＩ以上であれば、「プリアンブル検出」処理が実行される。プリアンブルが検出されれば、「データ処理」が実行される。その後、周波数チャネル「ＣＨｘ１」におけるＲＳＳＩが測定され、これに続く処理は、図６（ａ）と同一である。図４に戻る。
【００４６】
データ処理部４４は、送信すべきデータが発生した場合に、パケット信号を生成する。ここで、データ処理部４４は、パケット信号の送信先が第１種端末装置１２、スマートメータ１６であれば、図３（ａ）のフォーマットを使用し、パケット信号の送信先が第２種端末装置１４であれば、図３（ｂ）のフォーマットを使用する。制御部４６は、受信部４８がパケット信号を受信していなければ、データ処理部４４において生成したパケット信号を送信部５０に出力させる。制御部４６は、パケット信号の送信先が第１種端末装置１２であれば、周波数チャネル「ＣＨｘ１」を送信部５０に設定させ、第２種端末装置１４であれば、周波数チャネル「ＣＨｘ２」を送信部５０に設定させる。また、制御部４６は、パケット信号の送信先がスマートメータ１６であれば、周波数チャネル「ＣＨｙ」を送信部５０に設定させる。送信部５０は、設定した周波数チャネルにおいてキャリアセンスを実行し、送信タイミングを取得した場合に、パケット信号を送信する。
【００４７】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。
【００４８】
以上の構成による通信システム１００の動作を説明する。図９は、無線装置１０による受信手順を示すフローチャートである。制御部４６によって第１の帯域幅が設定された状況において、測定部５２は、「ＣＨｘ１」でのＲＳＳＩを測定する（Ｓ１０）。ＲＳＳＩがしきい値以上であれば（Ｓ１２のＹ）、ステップ４０にスキップし、しきい値以上でなければ（Ｓ１２のＮ）、測定部５２は、測定部５２は、「ＣＨｙ」でのＲＳＳＩを測定する（Ｓ１４）。ＲＳＳＩがしきい値以上であれば（Ｓ１６のＹ）、ステップ４０にスキップし、しきい値以上でなければ（Ｓ１６のＮ）、測定部５２は、測定部５２は、「ＣＨｘ２」でのＲＳＳＩを測定する（Ｓ１８）。
【００４９】
しきい値以上でなければ（Ｓ２０のＮ）、ステップ１０に戻り、ＲＳＳＩがしきい値以上であれば（Ｓ２０のＹ）、測定部５２は、低い周波数側の周波数チャネルでのＲＳＳＩを測定する（Ｓ２２）。低い周波数側の周波数チャネルでのＲＳＳＩが「ＣＨｘ２」でのＲＳＳＩ以上であり（Ｓ２４のＹ）、受信可能な信号であれば（Ｓ２６のＹ）、ステップ４０にスキップする。受信可能な信号でなければ（Ｓ２６のＮ）、ステップ１０に戻る。低い周波数側の周波数チャネルでのＲＳＳＩが「ＣＨｘ２」でのＲＳＳＩ以上でなければ（Ｓ２４のＮ）、測定部５２は、高い周波数側の周波数チャネルでのＲＳＳＩを測定する（Ｓ２８）。
【００５０】
高い周波数側の周波数チャネルでのＲＳＳＩが「ＣＨｘ２」でのＲＳＳＩ以上であり（Ｓ３０のＹ）、受信可能な信号であれば（Ｓ３２のＹ）、ステップ４０にスキップする。受信可能な信号でなければ（Ｓ３２のＮ）、ステップ１０に戻る。高い周波数側の周波数チャネルでのＲＳＳＩが「ＣＨｘ２」でのＲＳＳＩ以上でなければ（Ｓ３０のＮ）、制御部４６は、第１の帯域幅を第２の帯域幅に変更する（Ｓ３４）。測定部５２は、「ＣＨｘ２」でのＲＳＳＩを測定する（Ｓ３６）。２回目に測定したＲＳＳＩの方が、１回目に測定したＲＳＳＩよりも大きくなければ（Ｓ３８のＮ）、ステップ１０に戻る。２回目に測定したＲＳＳＩの方が、１回目に測定したＲＳＳＩよりも大きければ（Ｓ３８のＹ）、データ処理部４４は、データ処理を実行する（Ｓ４０）。
【００５１】
本実施例によれば、第１の帯域幅および第２の帯域幅の周波数チャネルにおけるＲＳＳＩを測定する際に、フィルタ等の帯域幅を第１の帯域幅のままにするので、帯域幅を切りかえる処理を不要にできる。また、帯域幅を切りかえる処理が不要になるので、帯域幅の切替に要する時間を省略できる。また、帯域幅の切替に要する時間が省略されるので、信号の受信に失敗する確率を低減できる。また、信号の受信に失敗する確率が低減されるので、周波数チャネルの帯域幅が複数種類規定されている場合に、回路規模の増加を抑制しながら、通信を失敗する確率の増加を抑制できる。
【００５２】
また、測定したＲＳＳＩが大きい場合でも、干渉信号の存在を確認するので、無意味な受信への移行を防止できる。また、干渉信号の存在を確認した場合、信号探索に復帰するので、信号の取り逃がしの発生を抑制できる。また、低い周波数側の周波数チャネルと高い周波数側の周波数チャネルとを使用するので、干渉信号の存在を確認できる。また、干渉信号が存在する可能性が高い場合に、プリアンブル検出を実行するので、干渉信号の検出精度を向上できる。また、別の周波数チャネルにおける信号を受信した場合に、当該信号を受信可能であれば、当該信号に対してデータ処理を実行するので、データを効率的に受信できる。また、干渉信号を検出しない場合に、第２の帯域幅でＲＳＳＩを測定するので、ノイズ等の影響を低減できる。また、ノイズ等の影響が低減されるので、信号の検出精度をさらに向上できる。
【００５３】
本発明の一態様の概要は、次の通りである。本発明のある態様の無線装置１０は、第１の帯域幅の周波数チャネルにおける受信信号の強度と、第１の帯域幅よりも狭い第２の帯域幅の周波数チャネルにおける受信信号の強度とを切りかえながら測定する測定部５２と、測定部５２における切替を制御する制御部４６とを備える。測定部５２は、第１の帯域幅の周波数チャネルと、第２の帯域幅の周波数チャネルとに対して、共通して、第１の帯域幅で受信信号の強度を測定する。
【００５４】
測定部５２は、第２の帯域幅の周波数チャネルにおける受信信号の強度の測定結果がしきい値以上である場合、第２の帯域幅の周波数チャネルに隣接した別の周波数チャネルにおける受信信号の強度を測定することを特徴してもよい。
【００５５】
測定部５２は、別の周波数チャネルとして、第２の帯域幅の周波数チャネルよりも低い周波数側の周波数チャネルを使用するとともに、第２の帯域幅の周波数チャネルよりも高い周波数側の周波数チャネルを使用してもよい。
【００５６】
第２の帯域幅の周波数チャネルにおける受信信号の強度の測定結果よりも、別の周波数チャネルにおける受信信号の強度の測定結果の方が大きい場合に、別の周波数チャネルにおいて、受信信号に含まれるべきプリアンブルの検出処理を実行する検出部５４をさらに備えてもよい。
【００５７】
検出部５４がプリアンブルを検出し、かつ別の周波数チャネルにおける受信信号を受信可能である場合、別の周波数チャネルにおける受信信号に対してデータ処理を実行するデータ処理部４４をさらに備えてもよい。
【００５８】
測定部５２は、第２の帯域幅の周波数チャネルにおける受信信号の強度の測定結果よりも、別の周波数チャネルにおける受信信号の強度の測定結果の方が小さい場合に、第２の帯域幅の周波数チャネルに対して、第２の帯域幅で受信信号の強度を測定してもよい。
【００５９】
（実施例２）
次に実施例２を説明する。実施例２は、実施例１と同様に、複数の周波数チャネルを使用して通信する無線装置に関する。ここでも、無線装置は、複数の周波数チャネルを切りかえながら、ＲＳＳＩの測定を順次実行する際、周波数チャネルの帯域幅が複数種類規定されていても、最も広い帯域幅にフィルタ等の帯域幅を固定する。ここでは、周波数チャネル「ＣＨｘ２」におけるＲＳＳＩが大きい場合に、周波数チャネル「ＣＨｘ２」での信号を受信しているか、周波数チャネル「ＣＨｘ２」に隣接した別の周波数チャネルでの信号を受信してるかを正確に検出することを目的とする。実施例２に係る通信システム１００、無線装置１０は、図１、図４と同様のタイプである。ここでは、実施例１との差異、特に「（２）周波数チャネル「ＣＨｘ２」での処理」との差異を中心に説明する。
【００６０】
図４の測定部５２は、周波数チャネル「ＣＨｘ２」において、つまり第２の帯域幅の周波数チャネルにおいて、ＲＳＳＩがしきい値以上であれば、信号存在を制御部４６に通知する。制御部４６は、前述のごとく、信号存在の通知を測定部５２から受けつけると、本来の信号のＲＳＳＩが大きい場合であるか、干渉信号のＲＳＳＩが大きい場合であるかを区別をするために、受信部４８に対して、隣接した別の周波数チャネルを受信させる。検出部５４は、別の周波数チャネルのベースバンド信号において、パケット信号に含まれるべきプリアンブルの検出処理を実行する。プリアンブルを検出した場合、当該別の周波数チャネルにおいて信号を受信していることが確実に確認される。
【００６１】
図１０（ａ）−（ｃ）は、無線装置１０による動作概要を示す。図８（ａ）は、プリアンブルの検出処理を実行する場合の動作を示す。「ＲＳＳＩ測定」では、周波数チャネル「ＣＨｘ２」におけるＲＳＳＩが測定される。これがしきい値以上であったため、周波数チャネル「ＣＨｘ２」の低い周波数側の周波数チャネルにおいて「プリアンブル検出」処理が実行される。プリアンブルの検出により、干渉信号の受信が確認されたので、周波数チャネル「ＣＨｘ１」におけるＲＳＳＩが測定される。これに続く処理の説明は省略する。図１０（ｂ）−（ｃ）は後述し、図４に戻る。
【００６２】
検出部５４においてプリアンブルが検出された場合、データ処理部４４は、当該別の周波数チャネルにおけるパケット信号を受信可能である場合、別の周波数チャネルにおけるパケット信号に対してデータ処理を実行する。図１０（ｂ）は、データ処理を実行する場合の動作を示す。「ＲＳＳＩ測定」では、周波数チャネル「ＣＨｘ２」におけるＲＳＳＩが測定される。これがしきい値以上であったため、周波数チャネル「ＣＨｘ２」の低い周波数側の周波数チャネルにおいて「プリアンブル検出」処理が実行される。プリアンブルが検出されれば、「データ処理」が実行される。その後、周波数チャネル「ＣＨｘ１」におけるＲＳＳＩが測定され、これに続く処理の説明は省略する。図１０（ｃ）は後述し、図４に戻る。
【００６３】
これまで説明した処理を実行した結果、別の周波数チャネルにおいて信号を受信していないと判定された場合、制御部４６は、周波数チャネル「ＣＨｘ２」に対して、受信部４８におけるフィルタの帯域幅を第１の帯域幅から第２の帯域幅に変更させる。測定部５２は、受信部４８からのベースバンド信号を入力し、ベースバンド信号のＲＳＳＩを測定する。これは、周波数チャネル「ＣＨｘ２」に対して、第２の帯域幅でＲＳＳＩを測定することに相当する。測定部５２は、第２の帯域幅で測定したＲＳＳＩと、第１の帯域幅で既に測定していたＲＳＳＩとを比較する。前者が後者以上であれば、測定部５２は、信号存在を制御部４６、検出部５４に通知する。これに続く処理は、（１）と同様であるので、ここでは説明を省略する。一方、前者が後者よりも小さければ、測定部５２は、信号不存在を制御部４６に通知する。
【００６４】
図１０（ｃ）は、周波数チャネル「ＣＨｘ２」に対して、フィルタの帯域幅を変更する場合の動作を示す。「ＲＳＳＩ測定（１）」では、周波数チャネル「ＣＨｘ２」におけるＲＳＳＩが測定される。これがしきい値以上であったため、周波数チャネル「ＣＨｘ２」の低い周波数側の周波数チャネルにおいて「プリアンブル検出」処理が実行される。プリアンブルが検出されなければ、「変更」では、第１の帯域幅から第２の帯域幅への変更がなされる。さらに、「ＲＳＳＩ測定（２）」では、周波数チャネル「ＣＨｘ２」におけるＲＳＳＩが再び測定される。これが、既に測定した第１の帯域幅でのＲＳＳＩであって、かつ周波数チャネル「ＣＨｘ２」におけるＲＳＳＩ以上であれば、「プリアンブル検出」処理が実行される。プリアンブルが検出されれば、「データ処理」が実行される。その後、周波数チャネル「ＣＨｘ１」におけるＲＳＳＩが測定され、これに続く処理の説明省略する。
【００６５】
以上の構成による通信システム１００の動作を説明する。図１１は、無線装置１０による受信手順を示すフローチャートである。制御部４６によって第１の帯域幅が設定された状況において、測定部５２は、「ＣＨｘ１」でのＲＳＳＩを測定する（Ｓ１１０）。ＲＳＳＩがしきい値以上であれば（Ｓ１１２のＹ）、ステップ１４０にスキップし、しきい値以上でなければ（Ｓ１１２のＮ）、測定部５２は、測定部５２は、「ＣＨｙ」でのＲＳＳＩを測定する（Ｓ１１４）。ＲＳＳＩがしきい値以上であれば（Ｓ１１６のＹ）、ステップ１４０にスキップし、しきい値以上でなければ（Ｓ１１６のＮ）、測定部５２は、測定部５２は、「ＣＨｘ２」でのＲＳＳＩを測定する（Ｓ１１８）。
【００６６】
しきい値以上でなければ（Ｓ１２０のＮ）、ステップ１１０に戻り、ＲＳＳＩがしきい値以上であれば（Ｓ１２０のＹ）、検出部５４は、低い周波数側の周波数チャネルにおいてプリアンブル検出を実行する（Ｓ１２２）。低い周波数側の周波数チャネルにおいてプリアンブルを検出した場合（Ｓ１２４のＹ）、受信可能な信号であれば（Ｓ１２６のＹ）、ステップ１４０にスキップする。受信可能な信号でなければ（Ｓ１２６のＮ）、ステップ１１０に戻る。低い周波数側の周波数チャネルにおいてプリアンブルを検出しない場合（Ｓ１２４のＮ）、検出部５４は、高い周波数側の周波数チャネルにおいてプリアンブル検出を実行する（Ｓ１２８）。
【００６７】
高い周波数側の周波数チャネルにおいてプリアンブルを検出した場合（Ｓ１３０のＹ）、受信可能な信号であれば（Ｓ１３２のＹ）、ステップ１４０にスキップする。受信可能な信号でなければ（Ｓ１３２のＮ）、ステップ１１０に戻る。高い周波数側の周波数チャネルにおいてプリアンブルを検出しない場合（Ｓ１３０のＮ）、制御部４６は、第１の帯域幅を第２の帯域幅に変更する（Ｓ１３４）。測定部５２は、「ＣＨｘ２」でのＲＳＳＩを測定する（Ｓ１３６）。２回目に測定したＲＳＳＩの方が、１回目に測定したＲＳＳＩよりも大きくなければ（Ｓ１３８のＮ）、ステップ１１０に戻る。２回目に測定したＲＳＳＩの方が、１回目に測定したＲＳＳＩよりも大きければ（Ｓ１３８のＹ）、データ処理部４４は、データ処理を実行する（Ｓ１４０）。
【００６８】
本実施例によれば、周波数チャネル「ＣＨｘ２」のＲＳＳＩがしきい値以上である場合、隣接した別の周波数チャネルにおいて、受信信号に含まれるべきプリアンブルの検出処理を実行するので、別の周波数チャネルにおける信号の存在の検出精度を向上できる。
【００６９】
本発明の一態様の概要は、次の通りである。測定部５２において、第２の帯域幅の周波数チャネルにおける受信信号の強度の測定結果がしきい値以上である場合、第２の帯域幅の周波数チャネルに隣接した別の周波数チャネルにおいて、受信信号に含まれるべきプリアンブルの検出処理を実行する検出部５４をさらに備えてもよい。
【００７０】
以上、本発明を実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【００７１】
本発明の実施例において、無線装置１０には、１つの受信アンテナが備えられている。しかしながらこれに限らず例えば、無線装置１０には、２つ以上の受信アンテナが備えられてもよい。その場合、無線装置１０は、アンテナダイバーシチを実行し、ＲＳＳＩを両アンテナで比較し、ＲＳＳＩの大きいアンテナを選択する。本変形例によれば、受信確率を向上できる。
【符号の説明】
【００７２】
１０  無線装置（受信装置）、  １２  第１種端末装置、  １４  第２種端末装置、  １６  スマートメータ、  １８  収集制御局、  ２０  第１通信、  ２２  第２通信、  ２４  上位通信、  ２６  マルチホップ通信、  ２８  住宅、  ４０  通信部、  ４２  探索部、  ４４  データ処理部、  ４６  制御部、  ４８  受信部、  ５０  送信部、  ５２  測定部、  ５４  検出部、  １００  通信システム。
【図１】
2017167785.tif 000003
【図２】
2017167785.tif 000004
【図３】
2017167785.tif 000005
【図４】
2017167785.tif 000006
【図５】
2017167785.tif 000007
【図６】
2017167785.tif 000008
【図７】
2017167785.tif 000009
【図８】
2017167785.tif 000010
【図９】
2017167785.tif 000011
【図１０】
2017167785.tif 000012
【図１１】
2017167785.tif 000013